(57)【要約】【課題】  利用者が初心者の場合でも、電子掲示板に画像情報を公開する際に特定の者にだけ開示することが容易にできるコンテンツ提供システム、該システムの機能を行うサーバ装置、サーバ装置の機能を実現するプログラム及び記録媒体の提供を課題とする。【解決手段】  情報端末１２とネットワーク１３を通じて接続され、コンテンツ提供サーバ１４からコンテンツの提供を受けて情報端末１２に提供するコンテンツ提供システムであって、コンテンツ提供サーバ１４は、第１の情報端末から投稿された画像情報及び変更を施した画像情報とを保存する画像データベースと、画像情報の閲覧を許可する他の情報端末を登録するデータベースを有し、閲覧を許可する情報端末からの画像閲覧請求に対して第１の情報端末から投稿された画像情報を提供し、閲覧を許可しない情報端末からの画像閲覧請求に対して変更を施した画像情報を提供することを特徴とする。【選択図】      図１
2007058379.tif 000002
【特許請求の範囲】
【請求項１】
情報端末とネットワークを通じて接続され、コンテンツ提供サーバからコンテンツの提供を受けて情報端末に提供するコンテンツ提供システムであって、
前記コンテンツ提供サーバは、第１の情報端末から投稿された画像情報とこの画像情報に対して変更を施した画像情報とを保存する画像データベースと、画像情報の閲覧を許可する他の情報端末を登録する閲覧許可情報データベースとを有し、
閲覧を許可する情報端末からの画像閲覧請求に対して、第１の情報端末から投稿された画像情報を提供し、
閲覧を許可しない情報端末からの画像閲覧請求に対して、変更を施した画像情報を提供することを特徴とするコンテンツ提供システム。
【請求項２】
請求項１に記載のコンテンツ提供システムであって、前記変更を施した画像情報は、第１の情報端末から画像情報が投稿されると同時に形成されることを特徴とするコンテンツ提供システム。
【請求項３】
請求項１又は２に記載のコンテンツ提供システムであって、画像情報の閲覧を許可する他の情報端末は、第１の情報端末からの登録により、画像情報の閲覧が可能となることを特徴とするコンテンツ提供システム。
【請求項４】
請求項１〜３の何れかに記載のコンテンツ提供システムであって、前記情報端末は、携帯電話、携帯端末、またはコンピュータであることを特徴とするコンテンツ提供システム。
【請求項５】
情報端末とネットワークを通じて接続され、コンテンツを情報端末に提供するサーバ装置であって、
前記サーバ装置は、第１の情報端末から投稿された画像情報とこの画像情報に対して変更を施した画像情報とを保存する画像データベースと、画像情報の閲覧を許可する他の情報端末を登録する閲覧許可情報データベースとを有し、
閲覧を許可する情報端末からの画像閲覧請求に対して、第１の情報端末から投稿された画像情報を提供し、
閲覧を許可しない情報端末からの画像閲覧請求に対して、変更を施した画像情報を提供することを特徴とするサーバ装置。
【請求項６】
請求項５に記載のサーバ装置であって、前記変更を施した画像情報は、第１の情報端末から画像情報が投稿されると同時に形成されることを特徴とするサーバ装置。
【請求項７】
請求項５又は６に記載のサーバ装置であって、画像情報の閲覧を許可する他の情報端末は、第１の情報端末からの登録により、画像情報の閲覧が可能となることを特徴とするサーバ装置。
【請求項８】
情報端末とネットワークを通じて接続され、コンテンツを情報端末に提供する請求項５〜７の何れかに記載のサーバ装置の機能を実現するプログラム。
【請求項９】
請求項８に記載のプログラムを記載した記録媒体。
【発明の詳細な説明】
【技術分野】
【０００１】
本発明はコンテンツ提供システム、コンテンツ提供システムの機能を行うサーバ装置、このサーバ装置の機能を実現するプログラム及び記録媒体に関し、より詳細には個人情報を簡単な方法で制御するコンテンツ提供システム、コンテンツ提供システムの機能を行うサーバ装置、このサーバ装置の機能を実現するプログラム及び記録媒体に関する。
【背景技術】
【０００２】
ネットワーク上の情報端末から、ネットワーク上に設けられた掲示板に、記事や画像情報の投稿を行うことができる電子掲示板がある。電子掲示板は、例えば特許文献１に示される。
【０００３】
従来の電子掲示板システムでは、投稿者が投稿したデータが、そのままアップロードされる。そのため、特に投稿者の写真などの画像情報が第３者に自由に閲覧され、完全な複製や不正利用が容易であり、プライバシーや著作権等を保護することが困難である。このような問題を解決するために、例えば画像データを電子的に暗号化し、複製や不正利用を防止する技術が盛んに利用されている（例えば特許文献２参照）。
【特許文献１】特開２００５−１６３３８３号公報
【特許文献２】特開２００４−２７８０９５号公報
【特許文献３】特開２００４−３４６５１３号公報
【発明の開示】
【発明が解決しようとする課題】
【０００４】
しかし特許文献２に記載の画像暗号化方法では、画像情報はセッション鍵を用いて暗号化する。セッション鍵暗号化手段は、画像データを利用する装置に固有の公開鍵を用いてセッション鍵を暗号化する。このため利用者が初心者の場合、画像情報を特定の者にだけ開示するのに複雑な手続を要する。
【０００５】
本発明は上記問題に鑑みてなされたものであり、その目的は、利用者が初心者の場合であっても、電子掲示板にて画像情報を公開する際に、画像情報を特定の者にだけ開示することが容易にできるコンテンツ提供システム、このコンテンツ提供システムの機能を行うサーバ装置、このサーバ装置の機能を実現するプログラム及び記録媒体を提供することにある。
【課題を解決するための手段】
【０００６】
上記課題を解決するために、本発明のコンテンツ提供システムは、情報端末とネットワークを通じて接続され、コンテンツ提供サーバからコンテンツの提供を受けて情報端末に提供するコンテンツ提供システムであって、前記コンテンツ提供サーバは、第１の情報端末から投稿された画像情報とこの画像情報に対して変更を施した画像情報とを保存する画像データベースと、画像情報の閲覧を許可する他の情報端末を登録する閲覧許可情報データベースとを有し、閲覧を許可する情報端末からの画像閲覧請求に対して、第１の情報端末から投稿された画像情報を提供し、閲覧を許可しない情報端末からの画像閲覧請求に対して、変更を施した画像情報を提供することを特徴とする。
【０００７】
この構成によれば、第１の情報端末から投稿された全ての画像情報に対して、変更を施す。この結果、原則として、情報端末からの画像閲覧請求に対して、変更を施した画像情報が提供されるので、個人情報の保護を図ることができる。一方、登録されている画像情報の閲覧を許可する他の情報端末から画像閲覧請求がなされた場合には、第１の情報端末から投稿された未変更の画像情報が提供される。この結果、指定した人間との間では、コミュニケーションを図ることができる。
【０００８】
上記コンテンツ提供システムでは、上記変更を施した画像情報は、第１の情報端末から画像情報が投稿されると同時に形成される。この結果、特定の情報端末との間に暗号鍵を作るなどの操作が要求されず、簡単な方法で、個人情報の保護を図ることができる。
【０００９】
上記コンテンツ提供システムでは、画像情報の閲覧を許可する他の情報端末は、第１の情報端末からの登録により、画像情報の閲覧が可能となることとする。この構成によると、画像情報を投稿した者が、画像情報の閲覧を認める者を指定できる。
【００１０】
上記情報端末は携帯電話、携帯端末、又はコンピュータであってもよい。
【００１１】
本発明のサーバ装置は、情報端末とネットワークを通じて接続され、コンテンツを情報端末に提供するサーバ装置であって、前記サーバ装置は、第１の情報端末から投稿された画像情報とこの画像情報に対して変更を施した画像情報とを保存する画像データベースと、画像情報の閲覧を許可する他の情報端末を登録する閲覧許可情報データベースとを有し、閲覧を許可する情報端末からの画像閲覧請求に対して、第１の情報端末から投稿された画像情報を提供し、閲覧を許可しない情報端末からの画像閲覧請求に対して、変更を施した画像情報を提供するものであってもよい。
【００１２】
上記サーバ装置において、上記変更を施した画像情報は、第１の情報端末から画像情報が投稿されると同時に形成されるものであってもよい。また、上記サーバ装置では、画像情報の閲覧を許可する他の情報端末が、第１の情報端末からの登録により、画像情報の閲覧が可能となることとしてもよい。
【００１３】
本発明は、コンピュータを、上記情報端末とネットワークを通じて接続され、コンテンツを情報端末に提供するサーバ装置の機能を実現するプログラムであってもよい。またこのプログラムを記載した記録媒体であってもよい。
【発明の効果】
【００１４】
本発明によれば、第１の情報端末から投稿された全ての画像情報に対して、変更を施した画像情報を生成する。原則として、画像情報の閲覧が請求された場合には、変更を施した画像情報が提供される。この結果、画像情報の暗号化などの複雑な手続をしなくても、個人情報の保護を図ることができる。一方、登録されている画像情報の閲覧を許可する他の情報端末から画像閲覧請求がなされた場合には、第１の情報端末から投稿された未変更の画像情報が提供される。この結果、指定した人間との間では、コミュニケーションを図ることができる。
【発明を実施するための最良の形態】
【００１５】
以下の図面を参照して、本発明の実施の形態に係るコンテンツ提供システムを詳細に説明する。なお共通する部分については同一の符号を付す。
【００１６】
図１は、本実施の形態に係るコンテンツ提供システムの構成を概略的に説明するブロックダイアグラムである。
本実施の形態においては、情報端末１２−１、１２−２、１２−３が、ネットワーク１３を介してコンテンツ提供サーバ１４にアクセスし、種々の情報の提供を受けられるようになっている。また情報端末１２−１、１２−２、１２−３からは画像情報、文章情報などの情報を投稿できる。
なお本明細書中における画像情報とは、投稿者の写真だけではなく、投稿者が投稿データに含めることができる図面、投稿者以外の写真等のあらゆる画像情報を含む。
【００１７】
上記ネットワーク１３は、例えば公衆回線網であるインターネットのネットワーク網を含み、電話回線等により、コンテンツ提供サーバ１４や情報端末１２−１、１２−２、１２−３が接続される。
上記情報端末１２−１、１２−２、１２−３は、コンテンツ提供サーバ１４で管理される掲示板への投稿データを作成し、その投稿データをコンテンツ提供サーバ１４に送信する。またコンテンツ提供サーバ１４を介して、関連データを閲覧することができる。上記情報端末１２−１、１２−２、１２−３は、携帯電話、携帯端末、又はコンピュータであってもよい。
【００１８】
図２は、本発明に係るコンテンツ提供サーバとして機能するサーバ装置の構成を説明するブロック図である。
上記コンテンツ提供サーバ１４は、利用者からの投稿を受け付けると、利用者の個人情報を入力する個人情報入力手段３１と、利用者から投稿された画像を処理する画像処理手段３２と、画像情報の閲覧を許可する他の利用者の閲覧許可情報入力手段３３と、他の利用者からの閲覧請求の拒否を判定する閲覧拒否判定手段３４と、利用者毎の個人情報を保存する個人情報データベース３５と、画像データベース３６と、閲覧許可情報データベース３７とを含む。
【００１９】
情報端末１２−１から投稿データを受信すると、投稿データに付加されている投稿者を特定する情報から、個人情報入力手段３１は個人情報データベース３５を作成する。またコンテンツ提供サーバ１４は、文章データ等を図示しないデータベースに保存する。画像処理手段３２は、投稿データに画像情報が含まれているときは、投稿された画像情報に変更を施す。画像データベース３６には、情報端末で特定される利用者毎に、投稿された画像情報とこの投稿された画像情報に変更を施した画像情報とが保存される。また上記コンテンツ提供サーバ１４は、情報端末で特定される利用者毎の閲覧許可情報データベース３７を有する。
【００２０】
このような構成により、利用者は、第１の情報端末１２−１を介して、投稿データを作成する。投稿データに画像情報が含まれる場合には、画像情報を添付する。利用者は、投稿データの投稿以外に、画像情報の閲覧を許可する他の利用者の情報をコンテンツ提供サーバ１４に送信する。送信された画像情報の閲覧を許可する他の利用者の情報は、閲覧許可情報入力手段３３を介して、閲覧許可情報データベース３７に保存される。閲覧許可情報データベース３７への保存は、投稿データの投稿とは別個に行う。
他の利用者は投稿データを閲覧し、画像情報の閲覧を望む場合には、コンテンツ提供サーバ１４に対して画像閲覧請求を行う。コンテンツ提供サーバ１４の閲覧拒否判定手段３４は、画像閲覧請求に対して、閲覧許可情報データベース３７を参照して閲覧を許可するかどうかを判断する。閲覧を許可する情報端末からの画像閲覧請求に対しては、第１の情報端末から投稿された画像情報を提供し、閲覧を許可しない情報端末からの画像閲覧請求に対しては変更を施した画像情報を提供する。
【００２１】
図３は、投稿データ処理の一例を示すフローチャートである。
利用者は、まず情報端末の表示装置にコンテンツ提供サーバ１４から提供される掲示板投稿画面を表示する。この画面において、利用者が「投稿する」を選択することにより、投稿データ処理がスタートする。次に利用者の個人情報の入力が求められる（ステップＳ１００）。個人情報の入力が終了すると、投稿データの入力が求められ、利用者は投稿データを入力する（ステップＳ１０１）。ステップＳ１０２にて、投稿データに画像情報が含まれるかどうかが判断される。投稿データに画像情報が含まれる場合にはステップＳ１０３に進み、画像情報が含まれない場合には投稿データがデータベースに保存されて投稿処理が終了する（ステップＳ１０５）。
【００２２】
投稿データに画像情報が含まれる場合（ステップＳ１０２でイエ）には、画像情報は投稿されると同時に変更が施される（ステップＳ１０３）。画像情報の変更は、例えばモザイク処理などの公知のフィルタ処理を行う。第１の情報端末から投稿された画像情報及びこの画像情報に対して変更を施した画像情報は、画像情報データベース３６に保存され（ステップＳ１０４）、画像情報以外の投稿データはデータベースに保存され、投稿処理が終了する（ステップＳ１０５）。
図４は、投稿処理後の個人情報データベース３５に保存された投稿者Ａさんの画像情報と変更を施した画像情報とを示す図である。
【００２３】
（画像情報閲覧）
画像情報の閲覧は以下のように行う。
図５は投稿処理がされた投稿データについて、他の利用者による閲覧処理の一例を示すフローチャートである。
まず閲覧者が掲示板を閲覧する。次に閲覧者は、掲示板から画像情報が存在するかどうかを知る（ステップＳ２０１）。画像情報が存在しない場合は（ステップＳ２０１でノー）、閲覧処理を終了する。画像情報があった場合（ステップＳ２０１でイエス）は、閲覧者は画像閲覧請求を行う（ステップＳ２０２）。画像閲覧請求を受理した閲覧拒否判定手段３４は、閲覧者が投稿者の閲覧許可情報データベース３７に登録されているかどうかを判断する。閲覧者が投稿者の閲覧許可情報データベース３７に登録されている場合には（ステップＳ２０２でイエス）、投稿者が投稿した未処理の画像情報が閲覧者の情報端末に提供される（ステップＳ２０３）。閲覧者が投稿者の閲覧許可情報データベース３７に登録されていない場合には（ステップＳ２０２でノー）、変更を施した処理済の画像情報が閲覧者の情報端末に提供される（ステップＳ２０４）。画像情報が提供されると、閲覧処理を終了する。
【００２４】
以下に、画像情報が閲覧者にどのように提供されるかを説明する。
図６は、画像情報が閲覧者に提供される方法を説明する図である。
図６（ａ）では、投稿者Ａさんの閲覧許可情報データベース３７には、画像情報閲覧許可者リストとしてＢさん、Ｄさん、Ｈさんが登録されている。
Ｂさんから、コンテンツ提供サーバ１４に対してＡさんの画像閲覧請求が行われると、コンテンツ提供サーバ１４の閲覧許否判定手段３４は、ＢさんがＡさんの閲覧許可情報データベース３７中の画像情報閲覧許可リストに含まれているかどうかを判断する。図６（ａ）からわかるように、ＢさんはＡさんの閲覧許可情報データベース３７中の画像情報閲覧許可リストに含まれているので、図６（ｂ）に示すように、ＢさんにはＡさんが投稿した画像情報が提供される。
次にＣさんからコンテンツ提供サーバ１４に対してＡさんの画像閲覧請求が行われると、コンテンツ提供サーバ１４の閲覧許否判定手段３４は、ＣさんがＡさんの閲覧許可情報データベース３７中の画像情報閲覧許可リストに含まれているかどうかを判断する。図６（ａ）からわかるように、ＣさんはＡさんの閲覧許可情報データベース３７の画像情報閲覧許可リストに含まれていないので、図６（ｂ）に示すように、ＢさんにはＡさんが投稿した画像情報に変更を施した処理済の画像情報が提供される。
【００２５】
図７は、画像情報閲覧許可リストに登録をする処理と、処理後の画像情報が閲覧者に提供される方法を説明する図である。
ＣさんをＡさんの閲覧許可情報データベース３７中の画像情報閲覧許可リストへの追加するには、ＡさんがＣさんを閲覧許可情報データベース３７に登録することにより、或いは本発明のコンテンツ提供サーバ１４を管理するサポートセンターにＣさんの追加を依頼することにより行う。ＣさんがＡさんの閲覧許可情報データベース３７に登録されると、図７（ａ）に示すように、ＣさんはＡさんの閲覧許可情報データベース３７中の画像情報閲覧許可リストに含められる。ここで図６（ａ）のように、ＢさんとＣさんとが、それぞれコンテンツ提供サーバ１４に対してＡさんの画像閲覧請求行うと、コンテンツ提供サーバの閲覧拒否判定手段３４は、Ｂさん、ＣさんがＡさんの画像情報閲覧許可リストに含まれているかどうかを判断する。図７（ａ）からわかるように、Ｂさん、Ｃさんは共にＡさんの画像情報閲覧許可リストに含まれているので、図７（ｂ）に示すように、ＢさんとＣさんのそれぞれにＡさんが投稿した画像情報が提供される。
【００２６】
なお図６、図７に示す例では、Ａさんは、Ａさんの画像情報閲覧許可リストに含まれてはいない。しかし個人情報データベースがＡさんのものであるので、Ａさんが画像情報の閲覧請求をすると、Ａさんが投稿した未処理の画像情報が提供される。
【００２７】
次に、どのようにして画像閲覧許可をするかについて説明する。
図８は画像の閲覧の許可処理を説明するための図である。
図８（ａ）に示すように、ＡさんとＢさんとは、お互いの画像情報閲覧許可リストに、Ｂさん、Ａさんを含んでいない。このためＡさんとＢさんとに提供される画像情報には、画像変更処理がなされており、お互いの画像情報を見ることができない。
【００２８】
ＢさんがＡさんの画像情報を閲覧したい場合には、ＢさんはＡさんに対して画像情報閲覧許可リストにＢさんを含めてほしい旨を申し込む。これによりＡさんは、コンテンツ提供サーバ１４の閲覧許可情報データベース３７にＢさんを登録する。図８（ｂ）に示すように、Ａさんの画像情報閲覧許可リストにはＢさんが含められる。ＢさんがＡさんの画像情報の閲覧請求をすると、Ｂさんにはモザイク処理が施されていないＡさんの画像情報が提供されるので、ＢさんはＡさんの写真を見ることができる。一方、Ａさんは、Ｂさんの画像情報閲覧許可リストに含まれていない。従って、Ａさんに提供されるＢさんの画像情報には、画像変更処理がなされており、ＡさんはＢさんの画像情報を見ることができない。
次に図８（ｃ）に示すように、Ｂさんが自分の画像情報データベースにＡさんを登録する。ＡさんがＢさんの画像情報の閲覧請求をすると、Ａさんにもモザイク処理が施されていないＢさんの画像情報が提供される。よってお互いの画像情報を見ることができる。
【００２９】
このように本発明のコンテンツ提供システムを用いると、自己の画像を提供してもよい相手を自分で選択して登録することができる。この結果、初心者であっても、画像情報閲覧請求者に画像情報の提供の許否を容易に行うことができる。
【００３０】
（変形例）
上記したように、本発明のコンテンツ提供システムでは、利用者が投稿した全ての画像情報を変更処理した。しかし、全ての画像情報を変更処理せずに、利用者が選択した画像情報のみを変更処理することとしてもよい。この場合には、画像情報を含む投稿データを投稿する際に、表示面に画像処理をするかどうかを利用者に問い合わせる選択画面を表示すればよい。
【００３１】
上記実施の形態では、コンテンツ提供システム及びその機能を行うサーバ装置として説明したが、コンピュータを上記情報端末とネットワークを通じて接続し、コンテンツを情報端末に提供するサーバ装置の機能を実現するプログラムの形態としてもよい。またこのプログラムを公知の記録媒体に記録したものであってもよい。
【図面の簡単な説明】
【００３２】
【図１】本実施の形態に係るコンテンツ提供システムの構成を概略的に説明するブロックダイアグラムである。
【図２】本発明に係るコンテンツ提供サーバとして機能するサーバ装置の構成を説明するブロック図である。
【図３】投稿データ処理の一例を示すフローチャートである。
【図４】投稿処理後の個人情報データベースに保存された投稿者Ａさんの画像情報と変更を施した画像情報とを示す図である。
【図５】投稿処理がされた投稿データについて他の利用者による閲覧処理の一例を示すフローチャートである。
【図６】画像情報が閲覧者に提供される方法を説明する図である。
【図７】画像情報閲覧許可リストに登録をする処理と、処理後の画像情報が閲覧者に提供される方法を説明する図である。
【図８】画像の閲覧の許可処理を説明するための図である。
【符号の説明】
【００３３】
１２−１、１２−２、１２−３  情報端末
１３  ネットワーク
１４  コンテンツ提供サーバ
３１  個人情報入力手段
３２  画像処理手段
３３  閲覧許可情報入力手段
３４  閲覧拒否判定手段
３５  個人情報データベース
３６  画像データベース
３７  閲覧許可情報データベース
【図１】
2007058379.tif 000003
【図２】
2007058379.tif 000004
【図３】
2007058379.tif 000005
【図４】
2007058379.tif 000006
【図５】
2007058379.tif 000007
【図６】
2007058379.tif 000008
【図７】
2007058379.tif 000009
【図８】
2007058379.tif 000010